【手続補正書】
【提出日】令和2年4月21日(2020.4.21)
【手続補正１】
【補正対象書類名】特許請求の範囲
【補正対象項目名】全文
【補正方法】変更
【補正の内容】
【特許請求の範囲】
【請求項１】
信号伝送方法であって、
端末装置が前記端末装置の位置するセルの同期信号ブロックバーストの第一の伝送周期における時間領域位置を確定することと、
前記端末装置が前記同期信号ブロックバーストの第一の伝送周期における時間領域位置に基づき、ネットワーク装置から送信された同期信号ブロックを受信することとを含む、前記信号伝送方法。
【請求項２】
前記端末装置が前記端末装置の位置するセルの同期信号ブロックバーストの第一の伝送周期における時間領域位置を確定することは、
前記端末装置が前記ネットワーク装置から送信された前記同期信号ブロックバーストの第一の同期信号ブロックを受信することと、
前記端末装置が前記第一の同期信号ブロックの前記第一の伝送周期における時間領域位置及び前記同期信号ブロックバーストの前記第一の伝送周期における時間シーケンス情報に基づき、前記同期信号ブロックバーストの第一の伝送周期における時間領域位置を確定することとを含み、
前記端末装置が前記同期信号ブロックバーストの第一の伝送周期における時間領域位置に基づき、ネットワーク装置から送信された同期信号ブロックを受信することは、
前記端末装置が前記同期信号ブロックバーストの第一の伝送周期における時間領域位置に基づき、前記ネットワーク装置から送信された前記同期信号ブロックバーストの第二の同期信号ブロックを受信することを含むことを特徴とする
請求項１に記載の信号伝送方法。
【請求項３】
前記信号伝送方法はさらに、
前記端末装置が前記ネットワーク装置から送信された指示情報を受信し、前記指示情報が前記同期信号ブロックバーストの数を示すことに用いられることを含み、
前記端末装置が前記端末装置の位置するセルの同期信号ブロックバーストの第一の伝送周期における時間領域位置を確定することは、
前記端末装置が前記同期信号ブロックバーストの数に基づき、前記同期信号ブロックバーストの第一の伝送周期における時間領域位置を確定することを含むことを特徴とする
請求項１に記載の信号伝送方法。
【請求項４】
前記信号伝送方法はさらに、
前記端末装置が前記ネットワーク装置から送信された指示情報を受信し、前記指示情報が前記同期信号ブロックバーストの前記第一の伝送周期における時間領域位置を示すことに用いられることを含み、
前記端末装置が前記端末装置の位置するセルの同期信号ブロックバーストの第一の伝送周期における時間領域位置を確定することは、
前記端末装置が前記指示情報に基づき、前記同期信号ブロックバーストの第一の伝送周期における時間領域位置を確定することを含むことを特徴とする
請求項１に記載の信号伝送方法。
【請求項５】
前記信号伝送方法はさらに、
前記端末装置が前記ネットワーク装置から送信された指示情報を受信し、前記指示情報が複数の対応関係のうちの第一の対応関係を示すことに用いられ、前記対応関係が同期信号ブロックバーストの前記第一の伝送周期における時間シーケンスのマッピングであることを含み、
前記端末装置が前記端末装置の位置するセルの同期信号ブロックバーストの第一の伝送周期における時間領域位置を確定することは、
前記端末装置が前記第一の対応関係に応じて、前記同期信号ブロックバーストの第一の伝送周期における時間領域位置を確定することを含むことを特徴とする
請求項１に記載の信号伝送方法。
【請求項６】
端末装置であって、
前記端末装置の位置するセルの同期信号ブロックバーストの第一の伝送周期における時間領域位置を確定するように構成される確定ユニットと、
前記同期信号ブロックバーストの第一の伝送周期における時間領域位置に基づき、ネットワーク装置から送信された同期信号ブロックを受信するように構成される第一の受信ユニットとを備える、前記端末装置。
【請求項７】
前記確定ユニットは具体的に、
前記ネットワーク装置から送信された前記同期信号ブロックバーストの第一の同期信号ブロックを受信し、
前記第一の同期信号ブロックの前記第一の伝送周期における時間領域位置及び前記同期信号ブロックバーストの前記第一の伝送周期における時間シーケンス情報に基づき、前記同期信号ブロックバーストの第一の伝送周期における時間領域位置を確定するように構成され、
前記第一の受信ユニットは、
前記同期信号ブロックバーストの第一の伝送周期における時間領域位置に基づき、前記ネットワーク装置から送信された前記同期信号ブロックバーストの第二の同期信号ブロックを受信するように構成されることを特徴とする
請求項６に記載の端末装置。
【請求項８】
前記時間シーケンス情報が前記同期信号ブロックバーストのいずれかの２つの隣接する同期信号ブロックの間の時間領域ユニットの数を含み、前記端末装置は、
前記ネットワーク装置から送信された指示情報を受信し、前記指示情報が前記時間領域ユニットの数を示すことに用いられる第四の受信ユニットをさらに備え、
前記確定ユニットは具体的に、
前記第一の同期信号ブロックの前記第一の伝送周期における時間領域位置及び前記時間領域ユニットの数に基づき、前記同期信号ブロックの第一の伝送周期における時間領域位置を確定するように構成されることを特徴とする
請求項７に記載の端末装置。
【請求項９】
前記端末装置は、
前記ネットワーク装置から送信された指示情報を受信し、前記指示情報が前記時間領域ユニットの数を示すことに用いられる第四の受信ユニットをさらに備え、
前記確定ユニットは具体的に、
前記同期信号ブロックバーストの数に基づき、前記同期信号ブロックバーストの第一の伝送周期における時間領域位置を確定するように構成されることを特徴とする
請求項６に記載の端末装置。
【請求項１０】
前記端末装置は、
前記ネットワーク装置から送信された指示情報を受信するように構成され、前記指示情報が前記同期信号ブロックバーストの前記第一の伝送周期における時間領域位置を示すことに用いられる第四の受信ユニットをさらに備え、
前記確定ユニットは具体的に、
前記指示情報に基づき、前記同期信号ブロックバーストの第一の伝送周期における時間領域位置を確定するように構成されることを特徴とする
請求項６に記載の端末装置。
【請求項１１】
前記端末装置は、
前記ネットワーク装置から送信された指示情報を受信するように構成され、前記指示情報が複数の対応関係のうちの第一の対応関係を示すことに用いられ、前記対応関係が同期信号ブロックバーストの前記第一の伝送周期における時間シーケンスのマッピングである第四の受信ユニットをさらに備え、
前記確定ユニットは具体的に、
前記第一の対応関係に応じて、前記同期信号ブロックバーストの第一の伝送周期における時間領域位置を確定するように構成されることを特徴とする
請求項６に記載の端末装置。
【請求項１２】
前記指示情報がブロードキャストメッセージ、システムメッセージ、無線リソース制御（ＲＲＣ）シグナリング、媒体アクセス制御（ＭＡＣ）制御エレメント（ＣＥ）シグナリング及びダウンリンク制御情報（ＤＣＩ）のうちの少なくとも一つに搬送されることを特徴とする
請求項８−１１のいずれか一項に記載の端末装置。
【請求項１３】
前記第四の受信ユニットは具体的に、
前記ネットワーク装置から送信された前記指示情報をプライマリ搬送波で受信するように構成されることを特徴とする
請求項８−１２のいずれか一項に記載の端末装置。
【請求項１４】
前記プライマリ搬送波は新しい無線（ＮＲ）又は長期進化（ＬＴＥ）システムにおける搬送波であることを特徴とする
請求項１３に記載の端末装置。
【請求項１５】
前記同期信号ブロックはプライマリ同期信号とセカンダリ同期信号を含むことを特徴とする
請求項６−１４のいずれか一項に記載の端末装置。